(57)【特許請求の範囲】
【請求項１】
デバイスにおけるページング要求のプライオリティ、サービス又はアプリケーションベースのハンドリングのための方法であって、前記デバイスは、無線通信ネットワーク内にあり、
モビリティ管理エンティティ（ＭＭＥ）又はサービングＧＰＲＳ（General  Packet  Radio  Service）サポートノード（ＳＧＳＮ）から、プライオリティ、サービス又はアプリケーションに関連する情報を含むページング要求を受信すること（１０）と、前記情報は、プライオリティ、サービス若しくはアプリケーションの識別子にマッピングされ、又は前記情報は、前記プライオリティ、サービス若しくはアプリケーションの識別子を直接的に含む新たな情報エレメントを含むことと、
前記情報に関連付けられるプライオリティレベル又はアプリケーションを判定すること（１２）と、
前記デバイスが後続するダウンリンクデータを処理可能か否かに関わらず、前記情報に関連付けられる前記プライオリティレベル、サービス又はアプリケーションに基づいて、前記ページング要求を受け入れるか又は無視するかの決定を行うこと（１４）と、
を含む方法。
【請求項２】
前記情報は、プライオリティ、サービス若しくはアプリケーションの識別子へマッピングされる、ページングのために使用される固有のＴＭＳＩ（Temporary  Mobile  Subscriber  Identity）であって、前記デバイスに割り振られる複数のＴＭＳＩのうちの１つを含む、請求項１の方法。
【請求項３】
前記プライオリティ、サービス又はアプリケーションに関連する前記情報は、Ｓ４／Ｓ１１インタフェースを介して受信され、前記情報は、ユーザプレーンパケットの一部であるサービスクラスインジケータ（ＳＣＩ）内で搬送される、請求項１〜２のいずれかの方法。
【請求項４】
前記決定を行うこと（１４）は、前記プライオリティの値が許容される閾値よりも低い場合、又は、前記アプリケーション若しくはサービスが承認されたアプリケーション若しくはサービスのリストに含まれない場合に、前記ページング要求を無視すること（１６）、をさらに含む、請求項１〜３のいずれかの方法。
【請求項５】
前記決定を行うこと（１４）は、前記プライオリティの値が許容される閾値以上である場合、又は、前記アプリケーション若しくはサービスが承認されたアプリケーション若しくはサービスのリストに含まる場合に、前記ページング要求を受け入れること（１８）、をさらに含む、請求項１〜３のいずれかの方法。
【請求項６】
ページング要求のプライオリティ、サービス又はアプリケーションベースのハンドリングのためのデバイスであって、前記デバイスは、無線通信ネットワーク内にあり、
モビリティ管理エンティティ（ＭＭＥ）又はサービングＧＰＲＳサポートノード（ＳＧＳＮ）から、プライオリティ、サービス又はアプリケーションに関連する情報を含むページング要求を受信する、ように構成される無線回路（２０１）と、
前記情報に関連付けられるプライオリティレベル、サービス又はアプリケーションを判定する、ように構成される処理回路（２０３）と、
を含み、
前記情報は、プライオリティ、サービス若しくはアプリケーションの識別子にマッピングされ、又は前記情報は、前記プライオリティ、サービス若しくはアプリケーションの識別子を直接的に含む新たな情報エレメントを含み、
前記処理回路（２０３）は、前記デバイスが後続するダウンリンクデータを処理可能か否かに関わらず、前記情報に関連付けられる前記プライオリティレベル、サービス又はアプリケーションに基づいて、前記ページング要求を受け入れるか又は無視するかの決定を行う、ようにさらに構成される、
デバイス。
【請求項７】
前記情報は、プライオリティ、サービス若しくはアプリケーションの識別子へマッピングされる、ページングのために使用される固有のＴＭＳＩ（Temporary  Mobile  Subscriber  Identity）であって、前記デバイスに割り振られる複数のＴＭＳＩのうちの１つを含む、請求項６のデバイス。
【請求項８】
前記プライオリティ、サービス又はアプリケーションに関連する前記情報は、Ｓ４／Ｓ１１インタフェースを介して受信され、前記情報は、ユーザプレーンパケットの一部であるサービスクラスインジケータ（ＳＣＩ）内で搬送される、請求項６〜７のいずれかのデバイス。
【請求項９】
前記処理回路（２０３）は、前記プライオリティの値が許容される閾値よりも低い場合、又は、前記アプリケーション若しくはサービスが承認されたアプリケーション若しくはサービスのリストに含まれない場合に、前記ページング要求を無視する、ようにさらに構成される、請求項６〜８のいずれかのデバイス。
【請求項１０】
前記処理回路（２０３）は、前記プライオリティの値が許容される閾値以上である場合、又は、前記アプリケーション若しくはサービスが承認されたアプリケーション若しくはサービスのリストに含まれる場合に、前記ページング要求を受け入れ又は許容する、ようにさらに構成される、請求項６〜８のいずれかのデバイス。
【請求項１１】
モビリティ管理エンティティ（ＭＭＥ）又はサービングＧＰＲＳ（General  Packet  Radio  Service）サポートノード（ＳＧＳＮ）における、プライオリティ又はアプリケーションベースのページングのための方法であって、前記ＭＭＥ又はＳＧＳＮは無線通信ネットワークに含まれ、前記方法は、
サービングゲートウェイ（ＳＧＷ）へメッセージを送信して、前記ＳＧＷへ前記ＭＭＥ又はＳＧＳＮがサービスクラスインジケータ（ＳＣＩ）ベースのページングをサポートしていることを通知すること（１９）と、前記ＳＣＩベースのページングは、前記ＭＭＥ又はＳＧＳＮからデバイスへと送信されるページング要求に応じて前記デバイスに、前記ＳＣＩから導出されるプライオリティレベル、サービス又はアプリケーションに基づいて前記ページング要求を受け入れるか又は無視するかを決定させる方式であることと、
前記ＳＧＷから、制御プレーン上で、ＳＣＩを含むダウンリンクデータ通知メッセージを受信すること（２１）と、
前記ＳＣＩに基づいてページング方法を決定すること（２２）と、当該ページング方法は、デバイスをページングすること、又は確認応答若しくは障害標識メッセージで前記ＳＧＷへ応答すること、を含むことと、
前記デバイスへ、前記ＳＣＩから導出されたプライオリティ、サービス又はアプリケーションに関連する情報を含むページング要求を送信して、前記デバイスが後続するダウンリンクデータを処理可能か否かに関わらず前記情報に関連付けられるプライオリティレベル、サービス又はアプリケーションに基づいて前記ページング要求を受け入れるか又は無視するかを前記デバイスに決定させること（２６）と、前記情報は、プライオリティ、サービス若しくはアプリケーションの識別子にマッピングされ、又は前記情報は、前記プライオリティ、サービス若しくはアプリケーションの識別子を直接的に含む新たな情報エレメントを含むことと、
を含む方法。
【請求項１２】
前記ＳＧＷへ前記ＭＭＥ又はＳＧＳＮが前記ＳＣＩベースのページングをサポートしていることを通知することは、前記ＳＧＷへ、プライオリティ、サービス又はアプリケーションベースのページングのためのケイパビリティを記述するサポートインジケータを送信すること（１９）、を含む、請求項１１の方法。
【請求項１３】
前記ページング要求に含まれる前記情報は、プライオリティ、サービス若しくはアプリケーションの識別子へマッピングされる、ページングのために使用される固有のＴＭＳＩ（Temporary  Mobile  Subscriber  Identity）であって、前記デバイスに割り振られる複数のＴＭＳＩのうちの１つを含む、請求項１１〜１２のいずれかの方法。
【請求項１４】
前記ＳＣＩはＳ４／Ｓ１１インタフェースを介して受信される、請求項１１〜１３のいずれかの方法。
【請求項１５】
前記ＳＧＷから、プライオリティ、サービス又はアプリケーションベースのメッセージ受け渡しのためのケイパビリティを記述するサポートインジケータを受信すること（２０）、をさらに含む、請求項１１〜１４のいずれかの方法。
【請求項１６】
前記決定すること（２２）は、前記情報エレメントをインデックスとして用いて、データベース又はテーブルから前記プライオリティレベル、サービス又はアプリケーションを取得すること（２４）、をさらに含む、請求項１１〜１５のいずれかの方法。
【請求項１７】
前記データベース又はテーブルは、ＭＭＥ若しくはＳＧＳＮ、ホーム加入者サーバ（ＨＳＳ）、ホームロケーションレジスタ（ＨＬＲ）、ポリシー及び課金ルール機能（ＰＣＲＦ）、又はユーザ加入データを含む前記無線通信ネットワーク内の任意の他のソース内に位置する、請求項１６の方法。
【請求項１８】
前記送信すること（２６）は、前記プライオリティレベルが許容される閾値以上である場合、又は、前記アプリケーション若しくはサービスがページングについて承認されたアプリケーション又はサービスである場合に、実行される、請求項１１〜１７のいずれかの方法。
【請求項１９】
前記デバイスによって利用されるサービスと受信される情報エレメントとの間のマッピングを編成すること（３０）、をさらに含む、請求項１１〜１８のいずれかの方法。
【請求項２０】
プライオリティ、サービス又はアプリケーションベースのページングのためのモビリティ管理エンティティ（ＭＭＥ）又はサービングＧＰＲＳ（General  Packet  Radio  Service）サポートノード（ＳＧＳＮ）であって、前記ＭＭＥ又はＳＧＳＮは、無線通信ネットワークに含まれ、
サービングゲートウェイ（ＳＧＷ）へメッセージを送信して、前記ＳＧＷへ前記ＭＭＥ又はＳＧＳＮがサービスクラスインジケータ（ＳＣＩ）ベースのページングをサポートしていることを通知し、前記ＳＧＷから、制御プレーン上で、ＳＣＩを含むダウンリンクデータ通知メッセージを受信する、ように構成される通信回路（３０１）と、前記ＳＣＩベースのページングは、前記ＭＭＥ又はＳＧＳＮからデバイスへと送信されるページング要求に応じて前記デバイスに、前記ＳＣＩから導出されるプライオリティレベル、サービス又はアプリケーションに基づいて前記ページング要求を受け入れるか又は無視するかを決定させる方式であることと、
前記ＳＣＩに基づいてページング方法を決定する、ように構成される処理回路（３０３）と、
を含み、
前記ページング方法は、デバイスをページングすること、又は確認応答若しくは障害標識メッセージで前記ＳＧＷへ応答すること、を含み、
前記通信回路（３０１）は、前記デバイスへ、前記ＳＣＩから導出されたプライオリティ、サービス又はアプリケーションに関連する情報を含むページング要求を送信して、前記デバイスが後続するダウンリンクデータを処理可能か否かに関わらず前記情報に関連付けられるプライオリティレベル、サービス又はアプリケーションに基づいて前記ページング要求を受け入れるか又は無視するかを前記デバイスに決定させる、ようにさらに構成され、
前記情報は、プライオリティ、サービス若しくはアプリケーションの識別子にマッピングされ、又は前記情報は、前記プライオリティ、サービス若しくはアプリケーションの識別子を直接的に含む新たな情報エレメントを含む、
ＭＭＥ又はＳＧＳＮ。
【請求項２１】
前記通信回路（３０１）は、前記ＳＧＷへ、プライオリティ、サービス又はアプリケーションベースのページングのためのケイパビリティを記述するサポートインジケータを送信することにより、前記ＳＧＷへ前記ＭＭＥ又はＳＧＳＮが前記ＳＣＩベースのページングをサポートしていることを通知する、ようにさらに構成される、請求項２０のＭＭＥ又はＳＧＳＮ。
【請求項２２】
前記ページング要求に含まれる前記情報は、プライオリティ、サービス若しくはアプリケーションの識別子へマッピングされる、ページングのために使用される固有のＴＭＳＩ（Temporary  Mobile  Subscriber  Identity）であって、前記デバイスに割り振られる複数のＴＭＳＩのうちの１つを含む、請求項２０〜２１のいずれかのＭＭＥ又はＳＧＳＮ。
【請求項２３】
前記ＳＣＩはＳ４／Ｓ１１インタフェースを介して受信される、請求項２０〜２２のいずれかのＭＭＥ又はＳＧＳＮ。
【請求項２４】
前記通信回路（３０１）は、前記ＳＧＷから、プライオリティ、サービス又はアプリケーションベースのメッセージ受け渡しのためのケイパビリティを記述するサポートインジケータを受信する、ようにさらに構成される、請求項２０〜２３のいずれかのＭＭＥ又はＳＧＳＮ。
【請求項２５】
前記処理回路（３０３）は、前記情報エレメントをインデックスとして用いて、データベース又はテーブルから前記プライオリティレベルを取得する、ようにさらに構成される、請求項２０〜２４のいずれかのＭＭＥ又はＳＧＳＮ。
【請求項２６】
前記データベース又はテーブルは、ＭＭＥ若しくはＳＧＳＮ、ホーム加入者サーバ（ＨＳＳ）、ホームロケーションレジスタ（ＨＬＲ）、ポリシー及び課金ルール機能（ＰＣＲＦ）、又はユーザ加入データを含む前記無線通信ネットワーク内の任意の他のソース内に位置する、請求項２５のＭＭＥ又はＳＧＳＮ。
【請求項２７】
前記通信回路（３０１）は、前記プライオリティレベルが許容される閾値以上である場合、又は、前記アプリケーション若しくはサービスがページングについて承認されたアプリケーション又はサービスである場合に、前記ページング要求を送信する、ように構成される、請求項２０〜２６のいずれかのＭＭＥ又はＳＧＳＮ。
【請求項２８】
前記処理回路（３０３）は、前記デバイスによって利用されるサービスと受信される情報要素との間のマッピングを編成する、ように構成される、請求項２０〜２７のいずれかのＭＭＥ又はＳＧＳＮ。
【請求項２９】
サービングゲートウェイ（ＳＧＷ）における、プライオリティ、サービス又はアプリケーションベースのページングを扱うための方法であって、前記ＳＧＷは無線通信ネットワークに含まれ、前記方法は、
パケットデータネットワークゲートウェイ（ＰＧＷ）から、サービスクラスインジケータ（ＳＣＩ）を含むユーザプレーンパケットを受信すること（４４）と、前記ＳＣＩは、プライオリティ、アプリケーション、サービス又はサービスのタイプを識別するために使用されることと、
関連するデバイスのために確立されたダウンリンクユーザパスがない場合に、前記ユーザプレーンパケットから前記ＳＣＩを抽出すること（４６）と、
モビリティ管理エンティティ（ＭＭＥ）又はサービングＧＰＲＳ（General  Packet  Radio  Service）サポートノード（ＳＧＳＮ）がＳＣＩベースのページングをサポートしている場合に、前記ＭＭＥ又は前記ＳＧＳＮへ、制御プレーン上で、前記ＳＣＩ、又は、ＶＰＬＭＮ（Visited  Public  Land  Mobile  Network）構成に基づく前記ＳＣＩへの参照を含むダウンリンクデータ通知メッセージを送信すること（４８）と、
前記ＳＣＩベースのページングは、前記ＭＭＥ又は前記ＳＧＳＮからデバイスへと送信されるページング要求に応じて前記デバイスに、前記ＳＣＩから導出されるプライオリティレベル、サービス又はアプリケーションに基づいて前記ページング要求を受け入れるか又は無視するかを決定させる方式であることと、
を含む方法。
【請求項３０】
前記ユーザプレーンパケットはＧＴＰ−Ｕ（General  Packet  Radio  Service  Tunnelling  Protocol-User  Plane）拡張ヘッダを含む、請求項２９の方法。
【請求項３１】
前記ＭＭＥ若しくはＳＧＳＮ及び／又は前記ＰＧＷから、プライオリティ、サービス又はアプリケーションベースのメッセージング及び／又はページングのケイパビリティを示すサポートインジケータを受信すること（４０）、をさらに含む、請求項２９〜３０のいずれかの方法。
【請求項３２】
前記ＭＭＥ若しくはＳＧＳＮ及び／又は前記ＰＧＷへ、プライオリティ、サービス又はアプリケーションベースのメッセージング及び／又はページングのケイパビリティを示すサポートインジケータを送信すること（４２）、をさらに含む、請求項２９〜３１のいずれかの方法。
【請求項３３】
プライオリティ、サービス又はアプリケーションベースのページングを扱うためのサービングゲートウェイ（ＳＧＷ）であって、前記ＳＧＷは、無線通信ネットワークに含まれ、
パケットデータゲートウェイ（ＰＧＷ）から、サービスクラスインジケータ（ＳＣＩ）を含むユーザプレーンパケットを受信する、ように構成される通信回路（４０１）と、
関連するデバイスのために確立されたダウンリンクユーザパスがない場合に、前記ユーザプレーンパケットから前記ＳＣＩを抽出する、ように構成される処理回路（４０３）と、
を含み、
前記ＳＣＩは、プライオリティ、アプリケーション、サービス又はサービスのタイプを識別するために使用され、
前記通信回路（４０１）は、モビリティ管理エンティティ（ＭＭＥ）又はサービングＧＰＲＳ（General  Packet  Radio  Service）サポートノード（ＳＧＳＮ）がＳＣＩベースのページングをサポートしている場合に、前記ＭＭＥ又は前記ＳＧＳＮへ、制御プレーン上で、前記ＳＣＩ、又は、ＶＰＬＭＮ（Visited  Public  Land  Mobile  Network）構成に基づく前記ＳＣＩへの参照を含むダウンリンクデータ通知メッセージを送信する、ようにさらに構成され、
前記ＳＣＩベースのページングは、前記ＭＭＥ又は前記ＳＧＳＮからデバイスへと送信されるページング要求に応じて前記デバイスに、前記ＳＣＩから導出されるプライオリティレベル、サービス又はアプリケーションに基づいて前記ページング要求を受け入れるか又は無視するかを決定させる方式である、
ＳＧＷ。
【請求項３４】
前記ユーザプレーンパケットはＧＴＰ−Ｕ（General  Packet  Radio  Service  Tunnelling  Protocol-User  Plane）拡張ヘッダを含む、請求項３３のＳＧＷ。
【請求項３５】
前記通信回路（４０１）は、前記ＭＭＥ若しくはＳＧＳＮ及び／又は前記ＰＧＷから、プライオリティ、サービス又はアプリケーションベースのメッセージング及び／又はページングのケイパビリティを示すサポートインジケータを受信する、ようにさらに構成される、請求項３３〜３４のいずれかのＳＧＷ。
【請求項３６】
前記通信回路（４０１）は、前記ＭＭＥ若しくはＳＧＳＮ及び／又は前記ＰＧＷへ、プライオリティ、サービス又はアプリケーションベースのメッセージング及び／又はページングのケイパビリティを示すサポートインジケータを送信する、ようにさらに構成される、請求項３３〜３５のいずれかのＳＧＷ。
【発明の詳細な説明】
【技術分野】
【０００１】
ここで提供される例示的な実施形態は、プライオリティ、アプリケーション又はサービスベースのページングハンドリングのための、ユーザ機器若しくはデバイス、モビリティ管理ノード及び／又はサービングゲートウェイ、並びにそれらにおける対応する方法を対象とする。
【背景技術】
【０００２】
無線通信ネットワークとも呼ばれる典型的なセルラーシステムにおいて、移動局及び／又はユーザ機器ユニットとしても知られる無線端末は、１つ以上のコアネットワークへ無線アクセスネットワーク（ＲＡＮ）を介して通信する。無線端末は、“セルラー”フォンとしても知られるモバイルフォン、及び、例えば移動終端といった無線ケイパビリティを有するラップトップなどの、デバイス、移動局又はユーザ機器ユニットであってよく、よって例えば、無線アクセスネットワークとの間で音声及び／又はデータを通信するポータブルな、ポケット型の、手持ち型の、コンピュータ内蔵型の、又は車載型の移動デバイスであり得る。
【０００３】
無線アクセスネットワークは、複数のセルエリアに分割される地理的なエリアをカバーし、各セルエリアは、基地局、例えば無線基地局（ＲＢＳ）によってサービスされる。無線基地局は、いくつかのネットワークにおいて、“ＮｏｄｅＢ”又は“Ｂノード”とも呼ばれ、本文書においては基地局という。セルは、基地局サイトにある無線基地局機器によって無線カバレッジを提供される地理的なエリアである。各セルは、ローカル無線エリア内のＩＤによって識別され、当該ＩＤは、当該セルにおいてブロードキャストされる。基地局は、当該基地局のレンジ内にあるユーザ機器ユニットと、無線周波数上で動作するエアインタフェース上で通信する。
【０００４】
無線アクセスネットワークのいくつかのバージョンにおいて、複数の基地局が、典型的には、例えば地上回線又はマイクロ波によって無線ネットワークコントローラ（ＲＮＣ）に接続される。基地局コントローラ（ＢＳＣ）とも呼ばれることもある無線ネットワークコントローラは、そこに接続される複数の基地局の種々のアクティビティを、管理し及び協調させる。無線ネットワークコントローラは、典型的には、１つ以上のコアネットワークに接続される。
【０００５】
ＵＭＴＳ（Universal  Mobile  Telecommunications  System）は、ＧＳＭ（Global  System  for  Mobile  Communications）から進化した第３世代の移動体通信システムであり、広帯域符号分割多重アクセス（ＷＣＤＭＡ）というアクセス技術に基づいて、改善された移動体通信サービスを提供することが意図される。ＵＴＲＡＮ（UMTS  Terrestrial  Radio  Access  Network）は、本質的に、ユーザ機器ユニット（ＵＥ）について広帯域符号分割多重アクセスを用いる無線アクセスネットワークである。第３世代パートナーシッププロジェクト（３ＧＰＰ）は、ＵＴＲＡＮ及びＧＳＭベースの無線アクセスネットワーク技術をさらに進化させることに取り組んできた。ＬＴＥ（Long  Term  Evolution）は、ＥＰＣ（Evolved  Packet  Core）と共に、３ＧＰＰファミリーへの最新の追加版である。
【発明の概要】
【０００６】
動作中、デバイス又はユーザ機器は、アクティビティの無い期間の後にアイドルへと進み得る。アプリケーションサーバがアイドルのデバイス又はユーザ機器へデータを送信することを望む場合、典型的には、当該デバイス又はユーザ機器がページングされる。ほとんどの現行のシステムでは、何らかの需要又は無線ネットワークにおいて生じつつあるかもしれない過負荷の作用に関わらず、ページ要求がデバイス又はユーザ機器へ送信される。よって、ここで提示される例示的な実施形態の少なくとも１つの例示的な目的は、ページング要求を発行し又は受け入れるべきかを情報を得た上で決定し得る改善されたページング方法を提供することである。
【０００７】
例示的な実施形態のいくつかの例示的な利点は、ある条件（例えば、ページング過負荷中、Ｓ１１シグナリング過負荷中などにおける）でのアイドルからアクティブへの遷移の低減を含み得る。別の例示的な利点は、使用される信号及びネットワークリソースの低減である。さらに、ここで提示される例示的な実施形態は、コアネットワーク過負荷の解決法を提供する。他の例示的な利点には、デバイス又はユーザ機器及びネットワークに、アプリケーションごとにモビリティ／セッション管理手続を扱う十分な柔軟性を提供することが含まれる。
【０００８】
よって、いくつかの例示的な実施形態は、デバイス又はユーザ機器における、ページング要求のプライオリティ、サービス又はアプリケーションベースのハンドリングのための方法を対象とする。デバイス又はユーザ機器は無線通信ネットワークに含まれる。方法は、ＭＭＥ又はＳ４−ＳＧＳＮから、ページング要求を受信することを含む。ページング要求は、プライオリティ、サービス又はアプリケーションに関連する情報を含む。方法は、当該情報に関連付けられるプライオリティレベル、サービス、サービスのタイプ又はアプリケーションを判定することも含む。方法は、当該情報に関連付けられるプライオリティレベル、サービス、サービスのタイプ又はアプリケーションに基づいて、ページング要求を受け入れるか又は無視するかの決定を行うことをさらに含む。
【０００９】
いくつかの例示的な実施形態は、ページング要求のプライオリティ、サービス又はアプリケーションベースのハンドリングのためのデバイス又はユーザ機器を対象とする。デバイス又はユーザ機器は無線通信ネットワークに含まれる。デバイス又はユーザ機器は、ＭＭＥ又はＳ４−ＳＧＳＮから、ページング要求を受信する、ように構成される無線回路を含み、ページング要求は、プライオリティ、サービス又はアプリケーションに関連する情報を含む。デバイス又はユーザ機器は、当該情報に関連付けられるプライオリティレベル、サービス、サービスのタイプ又はアプリケーションを判定する、ように構成される処理回路も含む。処理回路は、当該情報に関連付けられるプライオリティレベル、サービス、サービスのタイプ又はアプリケーションに基づいて、ページング要求を受け入れるか又は無視するかの決定を行うようにさらに構成される。
【００１０】
いくつかの例示的な実施形態は、ＭＭＥ又はＳ４−ＳＧＳＮにおける、プライオリティ、サービス又はアプリケーションベースのページングのための方法を対象とする。ＭＭＥ又はＳ４−ＳＧＳＮは無線通信ネットワークに含まれる。方法は、ＳＧＷから、ダウンリンクデータ通知を受信することを含み、ダウンリンクデータ通知はＳＣＩを含む。方法は、ＳＣＩに基づいてページングアルゴリズム又はページング方法を決定することをさらに含む。方法は、デバイス又はユーザ機器へ、ＳＣＩから導出されたプライオリティ、サービス又はアプリケーションに関連する情報を含むページング要求を送信することも含む。
【００１１】
いくつかの例示的な実施形態は、プライオリティ、サービス又はアプリケーションベースのページングのためのＭＭＥ又はＳ４−ＳＧＳＮを対象とする。ＭＭＥ又はＳ４−ＳＧＳＮは無線通信ネットワークに含まれる。ＭＭＥ又はＳ４−ＳＧＳＮは、ＳＧＷから、ダウンリンクデータ通知を受信する、ように構成される無線回路を含み、ダウンリンクデータ通知はＳＣＩを含む。ＭＭＥ又はＳ４−ＳＧＳＮは、ＳＣＩに基づいてページングアルゴリズム又はページング方法を決定する、ように構成される処理回路も含む。無線回路は、デバイス又はユーザ機器へ、ＳＣＩから導出されたプライオリティ、サービス又はアプリケーションに関連する情報を含むページング要求を送信する、ようにさらに構成される。
【００１２】
例示的な実施形態のいくつかは、ＳＧＷにおける、プライオリティ、サービス又はアプリケーションベースのページングのための方法を対象とする。ＳＧＷは無線通信ネットワークに含まれる。方法は、ＰＧＷから、ＳＣＩを含むユーザプレーンパケットを受信することを含む。方法は、関連するデバイス又はユーザ機器のために確立されたダウンリンクユーザパスがない場合に、ユーザプレーンパケットからＳＣＩを抽出することをさらに含む。方法は、ＭＭＥ又はＳ４−ＳＧＳＮへ、制御プレーン上でダウンリンクデータ通知を送信することも含み、当該ダウンリンクデータ通知はＳＣＩ又は（ＶＰＬＭＮ構成に基づく）ＳＣＩへの参照を含む。
【００１３】
いくつかの例示的な実施形態は、プライオリティ、サービス又はアプリケーションベースのページングを扱うためのＳＧＷを対象とする。ＳＧＷは無線通信ネットワークに含まれる。ＳＧＷは、ＰＧＷから、ＳＣＩを含むユーザプレーンパケットを受信する、ように構成される無線回路を含む。ＳＧＷは、関連するデバイス又はユーザ機器のために確立されたダウンリンクユーザパスがない場合に、ＳＣＩを抽出する、ように構成される処理回路も含む。無線回路は、ＭＭＥ又はＳ４−ＳＧＳＮへ、制御プレーン上でダウンリンクデータ通知を送信するようにさらに構成され、当該ダウンリンクデータ通知は、ＳＣＩ又は（ＶＰＬＭＮ構成に基づく）ＳＣＩへの参照を含む。
【００１４】
定義
３ＧＰＰ        3rd  Generation  Partnership  Project
ＡＤＣ          Application  Detection  Control
ＢＳＣ          Base  Station  Controller
ＤＤＮ          Downlink  Data  Notification
ＥＰＣ          Evolved  Packet  Core
Ｅ−ＵＴＲＡＮ  Evolved  UTRAN
Ｆ−ＴＥＩＤ    Fully  Qualified  Tunnel  End  Point  Identifier
ＧＥＲＡＮ      GSM/EDGE  Radio  Access  Network
ＧＰＲＳ        General  Packet  Radio  Service
ＧＳＭ          Global  System  for  Mobile  communications
ＧＴＰ          GPRS  Tunneling  Protocol
ＧＴＰ−Ｕ      GTP-User  plane
ＧＵＴＩ        Globally  Unique  Temporary  Identity
ＨＬＲ          Home  Location  Register
ＨＳＳ          Home  Subscriber  Server
ＩＭＳＩ        International  Mobile  Subscriber  Identity
ＬＴＥ          Long-Term  Evolution
ＭＭＥ          Mobility  Management  Entity
ＮＡＳ          Non-Access  Stratum
ＰＤＮ          Packet  Data  Network
ＰＧＷ          PDN  Gateway
Ｐ−ＴＭＳＩ    Packet  Temporary  Mobile  Subscriber  Identity
ＲＡＮ          Radio  Access  Network
ＲＡＵ          Routing  Area  Update
ＲＢＳ          Radio  Base  Station
ＲＦ            Radio  Frequency
ＲＮＣ          Radio  Network  Controller
ＳＣＩ          Service  Class  Indicator
ＳＧＳＮ        Serving  GPRS  Support  Node
ＳＧＷ          Serving  Gateway
ＴＡＵ          Tracking  Area  Update
ＴＭＳＩ        Temporary  Mobile  Subscriber  Identity
ＵＥ            User  Equipment  
ＵＭＴＳ        Universal  Mobile  Telecommunications  System  
ＵＴＲＡＮ      Universal  Terrestrial  Radio  Access  Network
ＶＰＬＭＮ      Visited  Public  Land  Mobile  Network
ＷＣＤＭＡ      Wideband  Code  Division  Multiple  Access
【図面の簡単な説明】
【００１５】
以上は、添付の図面に例示される、例示的な実施形態の以下のより詳細な説明を読めば明らかになるであろう。図面中、類似の参照符号は様々な図にわたって同じ部分を指す。図面は必ずしも縮尺通りであるとは限らず、むしろ、例示的な実施形態の例証に重点が置かれる。
【００１６】
【図１】無線ネットワークの例示的な説明図である。
【図２】ここで提示される例示的な実施形態のいくつかの非限定的な例を示すメッセージシーケンス図である。
【図３】ここで提示される例示的な実施形態のいくつかの非限定的な例を示すメッセージシーケンス図である。
【図４】例示的な実施形態のいくつかによる、デバイス又はユーザ機器の例示的なノード構成の図である。
【図５】例示的な実施形態のいくつかによる、ＭＭＥ又はＳ４−ＳＧＳＮの例示的なノード構成の図である。
【図６】例示的な実施形態のいくつかによる、ＳＧＷの例示的なノード構成の図である。
【図７】例示的な実施形態のいくつかによる、図４のデバイス又はユーザ機器によって取られ得る例示的な動作を示す流れ図である。
【図８】例示的な実施形態のいくつかによる、図５のＭＭＥ又はＳ４−ＳＧＳＮによって取られ得る例示的な動作を示す流れ図である。
【図９】例示的な実施形態のいくつかによる、図６のＳＧＷによって取られ得る例示的な動作を示す流れ図である。
【発明を実施するための形態】
【００１７】
以下の説明では、例示的な実施形態の十分な理解を提供するために、限定ではなく説明の目的で、特定のコンポーネント、エレメント、技法などといった具体的な詳細が示される。しかし、例示的な実施形態がこれらの具体的詳細からはずれた他のやり方でも実施され得ることが当業者には明らかであろう。他の例では、例示的な実施形態の説明をあいまいにしないように周知の方法及びエレメントの詳細な説明が省かれる。ここで使用される用語は、例示的な実施形態を記述するためのものであり、ここで提示される実施形態を限定することは意図されていない。
【００１８】
ここで提示される例示的な実施形態のより適切な説明を提供するために、まず問題を特定し、それについて論じる。図１に、通信ネットワーク１００の例を示す。図１に示すように、デバイス又はユーザ機器（ＵＥ）１０１は、オペレータ又はアプリケーションサーバ１０５への通信にアクセスするために、ＵＴＲＡＮ（Universal  Terrestrial  Radio  Access  Network）１０３、Ｅ−ＵＴＲＡＮ（Evolved  UTRAN）１０４、又はＧＥＲＡＮ（GSM  Edge  Radio  Access  Network）１０２のサブシステムと通信し得る。オペレータ又はアプリケーションサーバ１０５へのアクセスを獲得する際に、ＵＴＲＡＮ／Ｅ−ＵＴＲＡＮ／ＧＥＲＡＮサブシステム１０２〜１０４は、ＧＰＲＳ（General  Packet  Radio  Service）サブシステム１０７又はＥＰＣ（Evolved  Packet  Core）サブシステム１０９と通信し得る。図１には例示されていないが、ネットワークはＷｉＦｉサブシステムをさらに含んでもよいことが理解されるべきである。
【００１９】
ＧＰＲＳサブシステム１０７は、ＳＧＳＮ（Serving  GPRS  Support  Node）１１１を含んでいてよく、ＳＧＳＮ１１１は、関連付けられる地理的なサービスエリア内の移動局との間のデータパケットの受け渡しを担当し得る。ＳＧＳＮ１１１は、パケットのルーティング、転送、及びモビリティ管理も担当し得る。ＧＰＲＳサブシステム１０７は、ゲートウェイＧＰＲＳサポートノード１１３も含んでいてよく、ゲートウェイＧＰＲＳサポートノード１１３は、ＧＰＲＳサブシステム１０７とオペレータ又はアプリケーションサーバ１０５との間のインターワーキングを担当し得る。
【００２０】
ＥＰＣサブシステム１０９はモビリティ管理エンティティ１１５を含んでいてよく、モビリティ管理エンティティ１１５は、アイドルモードのＵＥの追跡、ページング手続、並びにアタッチ及びアクティブ化プロセスを担当し得る。ＥＰＣサブシステムは、ＳＧＷ（Serving  Gateway）１１７も含んでいてよく、ＳＧＷ１１７は、データパケットのルーティング及び転送を担当し得る。ＥＰＣサブシステムは、ＰＧＷ（Packet  data  network  Gateway）１１９も含んでいてよく、ＰＧＷ１１９は、デバイス又はユーザ機器１０１からアプリケーションサーバ１０５のオペレータへの接続の提供を担当し得る。ＳＧＳＮ１１１もＭＭＥ１１５も、ＨＳＳ（Home  Subscriber  Server）１２１と通信してよく、ＨＳＳ１２１は、デバイス識別情報、ＩＭＳＩ（International  Mobile  Subscriber  Identity）などを提供しうる。ＥＰＣサブシステム１０９はＳ４−ＳＧＳＮ１１０も含んでいてよく、それによって、ＧＰＲＳ１０７がＥＰＣ１０９で置き換えられるときにＧＥＲＡＮ１０２又はＵＴＲＡＮ１０３サブシステムがアクセスされることを可能にする。
【００２１】
動作中、デバイス又はユーザ機器１０１は、アクティビティの無い期間の後にアイドルになり得る。デバイス又はユーザ機器がアイドルである間に、アプリケーションサーバ１０５には、当該デバイス又はユーザ機器１０１へデータを送信する必要が生じ得る。デバイス又はユーザ機器１０１がデータを受信するためには、デバイス又はユーザ機器１０１はアクティブ状態に遷移しなければならない。そうした遷移は、典型的には、ページングプロセス又はページング要求によってトリガされる。現在のところ、ほとんどのシステムは、ページング要求を受け入れ、又は発行するべきか否かを左右する手段を提供しない。現在のところ、そうしたページング要求は、システムの過負荷が生じつつあるかもしれない可能性に関わらず、自動的に発行されることになる。よって、改善されたページング手続を提供する必要が存在する。
【００２２】
例示的な実施形態のいくつかによれば、ページング要求のプライオリティ、サービス、サービスタイプ又はアプリケーションベースのハンドリングが提供され得る。そうしたページングを介して、ネットワークノードは、ページングメッセージに関連付けられるプライオリティ、サービス（若しくはサービスのタイプ）又はアプリケーションによって、ページングメッセージを発行し又は受け入れるべきか否かを決定し得る。よって、例示的な実施形態のいくつかによれば、ページングに関連付けられるサービス、プライオリティ又はアプリケーションを識別するためのインジケータがページングメッセージ（又は任意の他の通信メッセージ）に含まれ得る。
【００２３】
例示的な実施形態のいくつかによれば、そうしたプライオリティ、サービス、サービスタイプ又はアプリケーションベースのハンドリングは、ＳＣＩ（Service  Class  Indicator）を用いて提供され得る。ＳＣＩは、ページング要求に関連付けられるサービスのタイプ、プライオリティ又はアプリケーションを識別するのに使用され得る。したがって、ＳＣＩは、識別されたプライオリティ、サービス、サービスのタイプ又はアプリケーションに関するページング手続のハンドリングにおいて使用され得る。
【００２４】
ＳＣＩは、ＳＧＷが、ＳＣＩが含まれるユーザプレーンパケット又はメッセージ、例えばＧＴＰ−Ｕパケット又はメッセージを受信するときに、ＳＧＷに提供され得る。そうしたメッセージ又はパケットは、デバイス若しくはユーザ機器がアイドル状態である、例えば、デバイス若しくはユーザ機器のために確立されたユーザプレーンがないとき、又はＳＧＷが他の手段によって、固有のサービスクラスが使用されるものと決定するときに、送信され得る。
【００２５】
例示的な実施形態のいくつかによれば、ＳＧＷがアイドルのデバイス又はユーザ機器のためのＳＣＩを有するＧＴＰ−Ｕパケットを受信すると、ＳＧＷは、ＭＭＥ又はＳ４−ＳＧＳＮへ、ＳＣＩ又は（ＶＰＬＭＮ構成に基づく）ＳＣＩへの参照を有するダウンリンクデータ通知を送信し得る。例示的な実施形態のいくつかによれば、ＳＣＩを有するダウンリンクデータ通知要求メッセージが受信されると、ＭＭＥ若しくはＳ４−ＳＧＳＮは、当該デバイス若しくはユーザ機器をページングするか、又はＳＧＷにダウンリンクデータ通知確認応答（Downlink  Data  Notification  Acknowledge）若しくはダウンリンクデータ通知（Downlink  Data  Notification）での失敗標識（failure  Indication）メッセージで応答するかと決定し得る。ページングメッセージを送信しない決定が行われた場合、ダウンリンクデータ通知確認応答又はダウンリンクデータ通知失敗標識メッセージは、拒否の理由を示す原因コードを含み得る。例えば、原因コードは、ネットワーク輻輳制御に関連付けられ得る。
【００２６】
例示的な実施形態のいくつかによれば、ページング要求を発行する決定が行われる場合、ＭＭＥ又はＳ４−ＳＧＳＮは、デバイス又はユーザ機器へ、ページング要求に関連付けられるサービス、サービスのタイプ、プライオリティ又はアプリケーションの標識を提供し得る。ＭＭＥ又はＳ４−ＳＧＳＮ（例えばモビリティ管理ノード）は、どのアプリケーション、プライオリティ、サービス又はサービスのタイプ（例えばサービスの特性）が、ＭＭＥ又はＳ４−ＳＧＳＮがページング要求を送信するためのトリガを引き起こしたか知っている。そうした知識は、アタッチ及びセッション管理手続の期間中にデバイス又はユーザ機器によって提供される外部識別子から導出され得る。
【００２７】
例えば、デバイス又がユーザ機器はネットワークに、どのアプリケーション若しくはサービスがアクティブ化されるか明示的に知らせてもよく、又はネットワークがデータベースに記憶された加入情報に基づいてそうした情報を獲得してもよい。そうしたデータベースの一例は、ＨＳＳ又はＨＬＲにおいて見い出され、加入済みのアプリケーションやサービスといった情報がＨＳＳ若しくはＨＬＲからＭＭＥ若しくはＳ４−ＳＧＳＮへ送信され、又は、当該情報は、何らかの他の手段によって例えばＰＧＷのＳＧＷといった上流側ネットワークエンティティから受信され得る。
【００２８】
例示的な実施形態のいくつかによれば、ＳＣＩはページング要求内に提供されてもよいことが理解されるべきである。そうしたＳＣＩは、ＭＭＥ又はＳ４−ＳＧＳＮからＲＡＮへ、例えば、（ＲＡＮＡＰを用いて）ＵＴＲＡＮへ、（Ｓ１ＡＰを用いて）Ｅ−ＵＴＲＡＮへ、及び（ＢＳＳＧＰを用いて）ＧＥＲＡＮへ送信されるページングメッセージに含まれ得る。
【００２９】
例示的な実施形態のいくつかによれば、ネットワークの様々なノードは、アプリケーション又はサービスベースのページングについてのそれぞれのケイパビリティを提供するように構成されてもよい。例示的な実施形態のいくつかによれば、ＳＧＷにとって、ＰＧＷがＳＣＩの包含をサポートするかどうかが既知となるように構成されてもよい。また、理解されるべきこととして、ＳＧＷは、その包含についてのＰＧＷによるサポートを、ＰＤＮ接続関連のシグナリングを用いて通知されてもよい。ＰＤＮ接続関連のシグナリングが利用される場合には、ＳＧＷとＰＧＷとの間のＰＤＮ接続関連のシグナリングにおいて、ＰＧＷによって送信される新たな標識が使用され得る。当該新たな標識は、セッション生成応答（create  session  response）メッセージ又はベアラ修正応答（modify  bearer  response）メッセージに含まれてもよい。
【００３０】
例示的な実施形態のいくつかによれば、ＭＭＥ又はＳ４−ＳＧＳＮから送信される新たなケイパビリティの標識は、ＭＭＥ又はＳ４−ＳＧＳＮがアプリケーション又はサービスに関するページングをサポートすることを示すために使用され得る。このインジケータは、ＳＧＷにおける処理負荷を低減させ得る。そうした標識は、ＭＭＥ又はＳ４−ＳＧＳＮからＳＧＷへの既存のＧＴＰメッセージに含められてもよい。非限定的な例としての、この標識を提供し得る既存のＧＴＰメッセージは、セッション生成要求（create  session  request）又はエコー要求（echo  request）メッセージである。理解されるべきこととして、そうしたメッセージは、３ＧＰＰ  ＴＳ２９．２７４に記述されているようなサポート済み通知の特徴を利用してもよい。
【００３１】
図２に、ここで論じられる例示的な実施形態のいくつかを示す、Ｅ−ＵＴＲＡＮ初期アタッチ及びネットワーク開始型サービス要求のメッセージ受け渡し図を例示する。まず、デバイス若しくはユーザ機器又はｅＮｏｄｅＢは、ＭＭＥ又はＳ４−ＳＧＳＮへアタッチ要求メッセージを送信し得る（メッセージ１）。例示的な実施形態のいくつかによれば、アタッチメッセージは、デバイス若しくはユーザ機器がプライオリティ若しくはアプリケーションベースのページングをサポートしていること、及び／又はデバイス若しくはユーザ機器が複数のＴＭＳＩの使用（例えば、アプリケーション／サービスごとのＴＭＳＩ）をサポートしていることを、ＭＭＥ又はＳ４−ＳＧＳＮに知らせるためのサポートインジケータも含み得る。
【００３２】
したがって、ＭＭＥ又はＳ４−ＳＧＳＮがデバイス又はユーザ機器にＧＵＴＩ又はＰ−ＴＭＳＩを割り振る際、一群のＧＵＴＩ又はＰ−ＴＭＳＩがデバイス又はユーザ機器に割り振られてもよい。割り振りは、ＧＵＴＩ又はＰ−ＴＭＳＩが、例えば、ネットマスク又はプレフィックスという様式で割り振られるようなやり方で行われてもよい。例えば、Ｍ−ＴＭＳＩは３２ビットを有するが、ＭＭＥ又はＳ４−ＳＧＳＮは２８ビットしか割り振らず、プライオリティ、アプリケーション、サービス又はサービスのタイプの識別のための４ビットを残してもよい。
【００３３】
メッセージを受信すると、ＭＭＥ又はＳ４−ＳＧＳＮは、デバイス又はユーザ機器の加入情報を取得するためにＨＳＳへロケーション更新要求メッセージを送信し得る（不図示）。そして、ＨＳＳは、加入済みアプリケーションデータをロケーション更新確認応答メッセージで提供し得る（不図示）。
【００３４】
その後、ＭＭＥ又はＳ４−ＳＧＳＮは、ＳＧＷへセッション生成要求メッセージを送信し得る（メッセージ２）。例示的な実施形態のいくつかによれば、当該メッセージは、ＭＭＥ若しくはＳ４−ＳＧＳＮがＳＣＩ情報に基づくハンドリング又はページングをサポートしていることをＳＧＷに通知するインジケータ若しくは情報エレメント（又はプライオリティ、アプリケーション、サービス若しくはサービスのタイプの任意の他のインジケータ）を含み得る。ＳＧＷは、ＰＧＷへセッション生成要求メッセージを転送し得る（メッセージ３）。そして、ＰＧＷは、ＳＧＷへセッション生成応答を送信し得る（メッセージ４）。例示的な実施形態のいくつかによれば、セッション生成応答は、要求に関連付けられるＰＤＮ接続のためにＳＣＩ（又は任意の他の形態の標識）がＧＴＰ−Ｕパケットに含まれることになることをＳＧＷに通知するインジケータ又は情報エレメントを含み得る。ＳＧＷは、ＭＭＥ又はＳ４−ＳＧＳＮへセッション生成応答を転送し得る（メッセージ５）。
【００３５】
ＭＭＥ又はＳ４−ＳＧＳＮは、アタッチ要求を受け入れて、デバイス又はユーザ機器又はｅＮｏｄｅＢへアタッチ受け入れメッセージを送信する（メッセージ６）。アタッチ要求が受け入れられると、デバイス又はユーザ機器はペイロード転送を実行する（メッセージ７）。そうしたペイロード転送の例は、あるアプリケーションの登録を実行することであり得る。ペイロード転送を実行すると、アプリケーションサーバは、デバイス又はユーザ機器のＩＰアドレスを知得することになる。その後、デバイス又はユーザ機器は、ある時点で、アイドル状態に入り得る。
【００３６】
アプリケーションサーバは、ユーザプレーン上でＰＧＷへダウンリンクペイロードデータを送信し得る（メッセージ８）。ＰＧＷは、例えばＧＴＰ−Ｕ拡張ヘッダにおいて、関連付けられるＳＣＩと共に、ペイロードデータをＳＧＷへ転送する（メッセージ９）。例示的な実施形態のいくつかによれば、デバイス若しくはユーザ機器がアイドル状態にある場合、又はＳＧＷがダウンリンクＦ−ＴＥＩＤ（ダウンリンクＩＰアドレス及びＧＰＲＳトンネルエンドポイント識別子）を有しない場合、ＳＧＷは、次に、ダウンリンクデータ通知メッセージを生成する（メッセージ１０）。例示的な実施形態のいくつかによれば、ＭＭＥ又はＳ４−ＳＧＳＮがＳＣＩベースのページングをサポートする場合、ＳＧＷは、ダウンリンクデータ通知に、ＳＣＩ、又は（ＶＰＬＭＮ構成に基づく）ＳＣＩへの参照をさらに含め得る。
【００３７】
ＭＭＥ又はＳ４−ＳＧＳＮがＳＣＩと共にダウンリンクデータ通知を受信すると、ＭＭＥ又はＳ４−ＳＧＳＮはデバイス又はユーザ機器をページングすることを決定し得る（メッセージ１１）。ページングメッセージを送信する際に、ＭＭＥ又はＳ４−ＳＧＳＮは、マッピングテーブルを用いてダウンリンクデータ通知内のＳＣＩをページング通知へ変換してもよい。よって、ＭＭＥ又はＳ４−ＳＧＳＮは、ｅＮｏｄｅＢへ送信されるＳ１ＡＰページングメッセージに、アプリケーション認識型のページングを実行するためにＳＣＩを含め得る。
【００３８】
或いは、ＭＭＥ又はＳ４−ＳＧＳＮは、ダウンリンクデータ通知確認応答／ダウンリンクデータ通知失敗標識（不図示）でＳＧＷへ応答してもよく、ダウンリンクデータ通知確認応答／ダウンリンクデータ通知失敗標識は、例えば、“ネットワーク輻輳制御により拒否された”などの拒否理由の原因コードを含む。オプションとして、ＭＭＥ又はＳ４−ＳＧＳＮは、ダウンリンクデータ通知確認応答／ダウンリンクデータ通知失敗標識メッセージでバックオフタイマを送信してもよく、当該メッセージが示すところによれば、当該タイマが満了する前に、ＭＭＥ又はＳ４−ＳＧＳＮ上で、同じＰＤＮ接続で、又は同等若しくはより下位のＳＣＩを有するどのＰＤＮ接続上においても、ＳＧＷはいかなるダウンリンクデータ通知も開始しないものとされる。
【００３９】
ＭＭＥ又はＳ４−ＳＧＳＮはＳＣＩをページングにおけるサービス標識に変換するマッピング機能を有する、ということが理解されるべきである。このマッピング機能は、デバイス又はユーザ機器に固有のものであってよい。マッピングテーブルは、デバイス又はユーザ機器が、デバイス又はユーザ機器が使用しているＳＣＩを登録するときに、例えば、アタッチ又はＳＧＳＮ間ＲＡＵ／ＭＭＥ間ＴＡＵの際に、生成され又は更新され得る。マッピングは、外部識別子と加入データベース内のアプリケーション、プライオリティ、サービス又はサービスのタイプとの間の動的マッピングであってもよいことが理解されるべきである。動的マッピングは、例えばＮＡＳシグナリングを介した、デバイス又はユーザ機器からの標識の数値の先立つ報告の結果であってよもい。
【００４０】
さらに理解されるべきこととして、デバイス又はユーザ機器に提供される標識は、アプリケーション又はサービスの番号の形式であってもよい。そうしたアプリケーション又はサービスの番号の一例は、例えば、ＨＳＳ又はＨＬＲにおいて加入データベースに記憶され得るアプリケーション又はサービスのインデックスであってもよい。例えば、１というインデックスがデバイス又はユーザ機器の加入者プロフィール内の第１のアプリケーションに対応し得る。インジケータの別の例は、デバイス若しくはユーザ機器において静的に構成され、又はＮＡＳシグナリングを介してデバイス若しくはユーザ機器によって報告される番号であってもよい。
【００４１】
例示的な実施形態のいくつかによれば、一群のＧＵＴＩ又はＰ−ＴＭＳＩがＭＭＥ又はＳ４−ＳＧＳＮ及びデバイス又はユーザ機器によって使用される場合、残りのＧＵＴＩ又はＰ−ＴＭＳＩは、デバイス又はユーザ機器によって使用される対応するアプリケーション、プライオリティ、サービス又はサービスのタイプを識別するために使用されてよい。よって、デバイス又はユーザ機器へページングが送信される際、ＭＭＥ又はＳ４−ＳＧＳＮは、それぞれのＴＭＳＩを使用して、デバイス又はユーザ機器をページングし、それによって、アプリケーション、プライオリティ、サービス又はサービスのタイプが識別され得る。
【００４２】
デバイス又はユーザ機器がアプリケーションサーバに直接的に登録される場合、アプリケーション識別子が移動体ネットワークによって割り当てられ得ることが理解されるべきである。そうしたアプリケーション識別子は、ＡＤＣ（Application  Detection  Control）ルールによって既に利用可能であり得ることが理解されるべきである。
【００４３】
図３に、ここで提示される例示的な実施形態のいくつかによる別の例示的なメッセージング図を示す。図３は、Ｅ−ＵＴＲＡＮ開始アタッチ手続を例示している。手続は、例示的な実施形態を説明する目的で簡略化されている。図３の点線はユーザプレーンシグナリングを表している。
【００４４】
まず、デバイス又はユーザ機器は、ＭＭＥへアタッチ要求メッセージを送信し得る（メッセージ１）。アタッチ要求メッセージは、デバイス又はユーザ機器が複数のＴＭＳＩ、例えば、アプリケーション又はサービスごとのＴＭＳＩをサポートしているか否かをＭＭＥに示す新たな情報エレメントを含み得る。アタッチ要求メッセージを受信すると、ＭＭＥは、要求側デバイス又はユーザ機器についての加入情報を取得するためにＨＳＳへロケーション更新要求メッセージを送信し得る（メッセージ２）。そして、ＨＳＳは、ロケーション更新確認応答メッセージでＭＭＥへ加入情報を供給し得る（メッセージ３）。
【００４５】
ＭＭＥは、その後、ＰＤＮ接続を確立するためにＳＧＷ／ＰＧＷへセッション生成要求メッセージを送信し得る（メッセージ４）。ＳＧＷ／ＰＧＷも要求への確認応答を行うメッセージを送信し得る（メッセージ５）。ＭＭＥは次いでアタッチ要求を受け入れて、デバイス又はユーザ機器へアタッチ受け入れメッセージを送信する（メッセージ６）。アタッチ受け入れメッセージは、ＧＵＴＩプレフィックスの長さを示すために利用され得る新たな情報エレメントを含み得る。
【００４６】
デバイス又はユーザ機器は、いくらかのペイロードの転送を実行する。後のある時点で、デバイス又はユーザ機器は、アイドル状態に入り得る。デバイス又はユーザ機器がアイドルモードに入った後で、アプリケーションサーバはダウンリンクトリガ要求に関してＭＭＥに通知し得る（メッセージ８）。ダウンリンクトリガ要求は、ＭＭＥを促してデバイス又はユーザ機器へページングメッセージを送信させ得る。デバイス又はユーザ機器へページングを送信する際に、ＭＭＥはまず、ｅＮＢ又はＢＳへページングメッセージを送信し得る（メッセージ９）。基地局はその後、当該ページングをデバイス又はユーザ機器へ転送し得る（メッセージ１０）。ページングメッセージは、ページング要求をトリガするアプリケーション、プライオリティ、サービス又はサービスのタイプに対応する固有のＴＭＳＩを含み得る。
【００４７】
図４に、ここで記述される例示的な実施形態のいくつかを実行し得るデバイス又はユーザ機器１０１の例示的なノード構成を示す。デバイス又はユーザ機器１０１は、通信データ、命令、及び／又はメッセージを受信し、且つ／又は送信する、ように構成され得る無線回路又は通信ポート２０１を含み得る。無線回路又は通信ポート２０１は、任意の数の送受信用、受信用、及び／又は送信用のユニット又は回路として含まれ得ることが理解されるべきである。無線回路又は通信ポート２０１は、当分野で知られているいかなる入力又は出力通信ポートの形式であってもよいことがさらに理解されるべきである。無線回路又は通信ポート２０１は、ＲＦ回路及びベースバンド処理回路（不図示）を含んでもよい。
【００４８】
デバイス又はユーザ機器１０１は、識別されるアプリケーションをモニタリングし、識別されるアプリケーションの使用を検出する、ように構成され得る処理装置又は回路２０３も含み得る。処理回路２０３は、例えば、マイクロプロセッサ、ディジタル信号プロセッサ（ＤＳＰ）、フィールドプログラマブルゲートアレイ（ＦＰＧＡ）若しくは特定用途向け集積回路（ＡＳＩＣ）、又は任意の他の形式の回路といった、任意の適切なタイプの計算ユニットであってよい。デバイス又はユーザ機器１０１は、メモリユニット又は回路２０５をさらに含んでよく、メモリユニット又は回路２０５は、任意の適切なタイプのコンピュータ可読媒体であって、揮発性タイプ及び／又は不揮発性タイプのものであってよい。メモリ２０５は、受信データ、送信データ、及び／若しくは測定データ、デバイスパラメータ、通信優先順位、並びに／又は実行可能プログラム命令を記憶するように構成され得る。
【００４９】
図５に、ここで記述される例示的な実施形態のいくつかを実行し得るＭＭＥ１１５又はＳ４−ＳＧＳＮ１１０の例示的なノード構成を示す。ＭＭＥ１１５又はＳ４−ＳＧＳＮ１１０は、通信データ、命令、及び／又はメッセージを受信し、且つ／又は送信する、ように構成され得る無線回路又は通信ポート３０１を含み得る。無線回路又は通信ポート３０１は、任意の数の送受信用、受信用、及び／又は送信用のユニット又は回路として含まれ得ることが理解されるべきである。無線回路又は通信ポート３０１は、当分野で知られている任意の入力／出力通信ポートの形式であってよいことがさらに理解されるべきである。無線回路又は通信ポート３０１は、ＲＦ回路及びベースバンド処理回路（不図示）を含んでもよい。
【００５０】
ＭＭＥ１１５又はＳ４−ＳＧＳＮ１１０は、識別されるプリケーションをモニタリングし、識別されるアプリケーションの使用を検出する、ように構成され得る処理装置又は回路３０３も含み得る。処理回路３０３は、例えば、マイクロプロセッサ、ディジタル信号プロセッサ（ＤＳＰ）、フィールドプログラマブルゲートアレイ（ＦＰＧＡ）若しくは特定用途向け集積回路（ＡＳＩＣ）又は任意の他の形式の回路といった、任意の適切なタイプの計算ユニットであってよい。ＭＭＥ１１５又はＳ４−ＳＧＳＮ１１０は、任意の適切なタイプのコンピュータ可読媒体であってよく揮発性タイプ及び／又は不揮発性タイプのものであってよいメモリユニット又は回路３０５をさらに含み得る。メモリ３０５は、受信データ、送信データ、及び／若しくは測定データ、デバイスパラメータ、通信優先順位、並びに／又は実行可能プログラム命令を記憶するように構成され得る。
【００５１】
図６に、ここで記述される例示的な実施形態のいくつかを実行し得るＳＧＷ１１７の例示的なノード構成を示す。ＳＧＷ１１７は、通信データ、命令、及び／又はメッセージを受信し、且つ／又は送信する、ように構成され得る無線回路又は通信ポート４０１を含み得る。無線回路又は通信ポート４０１は、任意の数の送受信用、受信用、及び／又は送信用のユニット又は回路として含まれ得ることが理解されるべきである。無線回路又は通信ポート４０１は、当分野で知られている任意の入力／出力通信ポートの形式であってよいことがさらに理解されるべきである。無線回路又は通信ポート４０１は、ＲＦ回路及びベースバンド処理回路（不図示）を含んでもよい。
【００５２】
ＳＧＷ１１７は、識別されるアプリケーションをモニタリングし、識別されるアプリケーションの使用を検出する、ように構成され得る処理装置又は回路４０３も含み得る。処理回路４０３は、例えば、マイクロプロセッサ、ディジタル信号プロセッサ（ＤＳＰ）、フィールドプログラマブルゲートアレイ（ＦＰＧＡ）若しくは特定用途向け集積回路（ＡＳＩＣ）又は任意の他の形式の回路といった、任意の適切なタイプの計算ユニットであってよい。ＳＧＷ１１７は、任意の適切なタイプのコンピュータ可読媒体であってよく揮発性タイプ及び／又は不揮発性タイプのものであってよいメモリユニット又は回路４０５をさらに含み得る。メモリ４０５は、受信データ、送信データ、及び／若しくは測定データ、デバイスパラメータ、通信優先順位、並びに／又は実行可能プログラム命令を記憶するように構成され得る。
【００５３】
図７は、ページング要求のプライオリティ、サービス又はアプリケーションベースのハンドリングのための図４のデバイス又はユーザ機器１０１によって取られ得る例示的な動作を示す流れ図である。図７は、実線の枠線で示されるいくつかの動作及び破線の枠線で示されるいくつかの動作を含むことが理解されるべきである。実線の枠線内に含まれる動作は、最も広い例示的な実施形態に含まれる動作である。破線の枠線内に含まれる動作は、最も広い例示的な実施形態の動作に包含され若しくはその一部であり得る例示的な実施形態であり、又は最も広い例示的な実施形態の動作に加えて取られ得る更なる動作である。これらの動作は順番に実行される必要はないことが理解されるべきである。さらに、すべての動作が実行される必要もないことが理解されるべきである。例示的な動作は、任意の順序で、任意の組み合わせで実行されてよい。
【００５４】
動作１０
デバイス又はユーザ機器１０１は、ＭＭＥ又はＳ４−ＳＧＳＮから、ページング要求を受信する１０、ように構成される。ページング要求は、プライオリティ、サービス又はアプリケーションに関連する情報を含む。無線回路２０１は、ＭＭＥ又はＳ４−ＳＧＳＮから、ページング要求を受信する、ように構成される。
【００５５】
例示的な実施形態のいくつかによれば、上記情報は、プライオリティ、サービス又はアプリケーションの識別子にマッピングされ得るページングに使用される固有のＴＭＳＩを含み得る。例示的な実施形態のいくつかによれば、上記情報は、プライオリティ、サービス（若しくはサービスのタイプ）又はアプリケーションの識別子を直接的に含み得る新たな情報エレメントを含み得る。例示的な実施形態のいくつかによれば、上記情報に関連付けられるプライオリティレベル、サービス又はアプリケーションは、上記情報に含まれ又は当該情報の一部として含まれ得る固有のＴＭＳＩ若しくはプライオリティ、サービス又はアプリケーションの識別子を評価することによって決定され得る。
【００５６】
例示的な実施形態のいくつかによれば、固有のＴＭＳＩは、ネットマスキング又はプレフィックスという形式を用いてＭＭＥ又はＳ４−ＳＧＳＮによって割り振られる。即ち、複数のＴＭＳＩが割り振られてよく、各ＴＭＳＩは、ＧＵＴＩ／Ｐ−ＴＭＳＩ割り振り手続中に、例えば、Ｅ−ＵＴＲＡＮ初期アタッチ手続内で、固有のプライオリティ、サービス又はアプリケーションに対応し得る。
【００５７】
例示的な実施形態のいくつかによれば、プライオリティ、サービス又はアプリケーションに関連する情報は、ＭＭＥ又はＳ４−ＳＧＳＮによってＳ４／Ｓ１１インタフェースを介して受信される。例示的な実施形態のいくつかによれば、プライオリティ、サービス又はアプリケーションに関連する情報は、ユーザプレーンパケット、例えばＧＴＰ−Ｕ拡張ヘッダの一部であるＳＣＩ内で搬送される。
【００５８】
例示的な実施形態のいくつかによれば、プライオリティ、サービス又はアプリケーションに関連する情報は、アプリケーション又はサービスの番号の形式であってよい。そうした番号は、例えばＨＳＳ又はＨＬＲにおいて見い出されるデータベースに記憶され得ることが理解されるべきである。
【００５９】
動作１２
デバイス又はユーザ機器１０１は、上記情報に関連付けられるプライオリティレベル又はアプリケーションを判定する１２、ようにさらに構成される。上記情報に関連付けられるプライオリティレベル、サービス又はアプリケーションを、処理回路２０３が判定する、ように構成される。
【００６０】
動作１４
デバイス又はユーザ機器１０１は、上記情報に関連付けられるプライオリティレベル、サービス又はアプリケーションに基づいて、ページング要求を受け入れるか又は無視するかの決定を行う１４、ようにも構成される。上記情報に関連付けられるプライオリティレベル、サービス又はアプリケーションに基づいて、ページング要求を受け入れるか又は無視するかの決定を処理回路２０３が行うように構成される。
【００６１】
例示的な動作１６
例示的な実施形態のいくつかによれば、決定を行うこと１４は、プライオリティの値が許容される閾値よりも低い場合、又は、アプリケーションが承認されたアプリケーション若しくはサービスのリストに含まれない場合に、ページング要求を無視すること１６、をさらに含み得る。プライオリティの値が許容される閾値よりも低い場合、又は、アプリケーションが承認されたアプリケーション若しくはサービスのリストに含まれない場合にページング要求を無視するように、処理回路２０３が構成され得る。
【００６２】
例示的な動作１８
例示的な実施形態のいくつかによれば、決定を行うこと１４は、プライオリティの値が許容される閾値以上である場合、又はアプリケーションが承認されたアプリケーション若しくはサービスのリストに含まれる場合に、ページング要求を受け入れること１８、をさらに含み得る。プライオリティの値が許容される閾値以上である場合、又は、アプリケーションが承認されたアプリケーション若しくはサービスのリストに含まれる場合にページング要求を受け入れるように、処理回路２０３が構成され得る。
【００６３】
図８は、ページング要求のプライオリティ又はアプリケーションベースのハンドリングのための図５のＭＭＥ１１５又はＳ４−ＳＧＳＮ１１０によって取られ得る例示的な動作を示す流れ図である。図８は、実線の枠線で示されるいくつかの動作及び破線の枠線で示されるいくつかの動作を含むことが理解されるべきである。
実線の枠線内に含まれる動作は、最も広い例示的な実施形態に含まれる動作である。破線の枠線内に含まれる動作は、最も広い例示的な実施形態の動作に包含され若しくはその一部であり得る例示的な実施形態であり、又は最も広い例示的な実施形態の動作に加えて取られ得る更なる動作である。これらの動作は順番に実行される必要はないことが理解されるべきである。さらに、すべての動作が実行される必要はないことが理解されるべきである。例示的な動作は、任意の順序で、任意の組み合わせで実行されてよい。
【００６４】
例示的な動作１９
例示的な実施形態のいくつかによれば、ＭＭＥ又はＳ４−ＳＧＳＮは、ＳＧＷへ、サポートインジケータを送信する、ように構成され得る。サポート標識は、プライオリティ、サービス又はアプリケーションベースのページングのためのケイパビリティを記述し得る。無線回路３０１が、ＳＧＷへサポートインジケータを送信するように構成され得る。
【００６５】
例示的な動作２０
例示的な実施形態のいくつかによれば、ＭＭＥ又はＳ４−ＳＧＳＮは、ＳＧＷから、プライオリティ、サービス又はアプリケーションベースのメッセージ受け渡しのケイパビリティを記述するサポートインジケータを受信する、ように構成され得る。無線回路３０１が、ＳＧＷからサポートインジケータを受信する、ように構成され得る。
【００６６】
動作２１
ＭＭＥ又はＳ４−ＳＧＳＮは、ＳＧＷから、制御プレーン上でダウンリンクデータ通知（ＤＤＮ）を受信する２１、ように構成される。ＤＤＮは、ＳＣＩを含む。無線回路３０３が、ＳＧＷからＤＤＮを受信するように構成され得る。
【００６７】
例示的な実施形態のいくつかによれば、ＳＣＩは、ＭＭＥ又はＳ４−ＳＧＳＮによってＳ４／Ｓ１１インタフェースを介して受信される。例示的な実施形態のいくつかによれば、ユーザプレーンパケットはＧＴＰ−Ｕ拡張ヘッダである。
【００６８】
動作２２
ＭＭＥ又はＳ４−ＳＧＳＮは、ＳＣＩに基づいてページングアルゴリズム又はページング方法を決定する２２、ようにも構成される。処理回路３０３が、ＳＣＩに基づいてページングアルゴリズム又はページング方法を決定するように構成される。
【００６９】
例示的な動作２４
例示的な実施形態のいくつかによれば、決定すること２２は、情報エレメントをインデックスとして用いて、データベース又はテーブルから、プライオリティレベル、サービス（又はサービスのタイプ）又はアプリケーションを取得すること２４、をさらに含み得る。情報エレメントをインデックスとして用いて、データベース又はテーブルから、処理回路３０３がプライオリティレベル、サービス又はアプリケーションを取得するように構成され得る。
【００７０】
例示的な実施形態のいくつかによれば、データベース又はテーブルは、ＭＭＥ若しくはＳ４−ＳＧＳＮ、ＨＳＳ、ＨＬＲ、及び／又はＰＣＲＦ内に位置し得る。データベース又はテーブルは、ユーザ加入データを含む無線ネットワーク内の任意の他のノード又はソースに位置してもよいことが理解されるべきである。
【００７１】
動作２６
ＭＭＥ又はＳ４−ＳＧＳＮは、デバイス又はユーザ機器へ、ＳＣＩから導出されたプライオリティ、サービス又はアプリケーションに関連する情報を含むページング要求を送信する２６、ようにも構成される。デバイス又はユーザ機器へ、ＳＣＩから導出されたプライオリティ又はアプリケーションに関連する情報を含むページング要求を、無線回路３０３が送信するように構成される。
【００７２】
例示的な実施形態のいくつかによれば、送信すること２６は、プライオリティレベルが許容される閾値以上である場合、又は、アプリケーション若しくはサービスがページングについて承認されたアプリケーション又はサービス（若しくはサービスのタイプ）である場合に、実行される。
【００７３】
例示的な実施形態のいくつかによれば、ＳＣＩから導出され、デバイス又はユーザ機器へ送信されるページング要求に含まれる情報は、ページングに使用される固有のＴＭＳＩを含み、それはプライオリティ、サービス又はアプリケーションの識別子にマッピングされ得る。例示的な実施形態のいくつかによれば、上記情報は、プライオリティ、サービス又はアプリケーションの識別子を直接的に含み得る新たな情報エレメントを包含し得る。例示的な実施形態のいくつかによれば、上記情報に関連付けられるプライオリティレベル、サービス又はアプリケーションは、上記情報に含まれ又は当該情報の一部として含まれ得る固有のＴＭＳＩ又はプライオリティ若しくはアプリケーションの識別子を評価することによって決定され得る。
【００７４】
例示的な動作３０
例示的な実施形態のいくつかによれば、ＭＭＥ又はＳ４−ＳＧＳＮは、デバイス又はユーザ機器によって利用されるサービスと受信される情報エレメントとの間のマッピングを編成（compile）する３０、ようにも構成され得る。デバイス又はユーザ機器によって利用されるサービスと受信される情報エレメントとの間のマッピングを、処理回路３０３が編成するように構成され得る。
【００７５】
例示的な実施形態のいくつかによれば、そうしたマッピングは、テーブル又はデータベースに含まれ得る。そうしたマッピングの編成は、動的であってよい。例示的な実施形態のいくつかによれば、テーブル又はマッピングはオペレータによって提供されてよく、オペレータはそうしたテーブル／データベースへの更新も提供し得ることが理解されるべきである。例示的な実施形態のいくつかによれば、ユーザは、加入内容（subscription）の変更によって更新を提供し得る。
【００７６】
図９は、ページング要求のプライオリティ、サービス又はアプリケーションベースのハンドリングのための図６のＳＧＷによって取られ得る例示的な動作を示す流れ図である。図９は、実線の枠線で示されるいくつかの動作及び破線の枠線で示されるいくつかの動作を含むことが理解されるべきである。実線の枠線内に含まれる動作は、最も広い例示的な実施形態に含まれる動作である。破線の枠線内に含まれる動作は、最も広い例示的な実施形態の動作に包含され若しくはその一部であり得る例示的な実施形態であり、又は最も広い例示的な実施形態の動作に加えて取られ得る更なる動作である。これらの動作は順番に実行される必要はないことが理解されるべきである。さらに、すべての動作が実行される必要はないことが理解されるべきである。例示的な動作は、任意の順序で、任意の組み合わせで実行されてよい。
【００７７】
例示的な動作４０
例示的な実施形態のいくつかによれば、ＳＧＷは、ＭＭＥ若しくはＳ４−ＳＧＳＮ及び／又はＰＧＷから、サポートインジケータを受信する４０、ように構成され得る。当該サポートインジケータは、プライオリティ、サービス（若しくはサービスのタイプ）、又はアプリケーションベースのメッセージング及び／若しくはページングのケイパビリティを示す。無線回路４０１がサポートインジケータを受信するように構成され得る。
【００７８】
例示的な動作４２
例示的な実施形態のいくつかによれば、ＳＧＷは、ＭＭＥ若しくはＳ４−ＳＧＳＮ及び／又はＰＧＷから、サポートインジケータを送信する４２、ように構成され得る。当該サポートインジケータは、プライオリティ、サービス又はアプリケーションベースのメッセージング及び／若しくはページングのケイパビリティを示す。無線回路４０１がサポートインジケータを送信するように構成され得る。
【００７９】
動作４４
ＳＧＷは、ＰＧＷから、ＳＣＩを含むユーザプレーンパケットを受信する４４、ように構成される。無線回路４０１がＰＧＷからＳＣＩを含むユーザプレーンパケットを受信するように構成される。例示的な実施形態のいくつかによれば、ユーザプレーンパケットはＧＴＰ−Ｕ拡張ヘッダであり、又はユーザプレーンパケットはＧＴＰ−Ｕ拡張ヘッダを含み得る。
【００８０】
動作４６
ＳＧＷは、関連するデバイス又はユーザ機器のために確立されたダウンリンクユーザパスがない場合に、ユーザプレーンパケットからＳＣＩを抽出する、ようにも構成される。関連するデバイス又はユーザ機器のために確立されたダウンリンクユーザパスがない場合にユーザプレーンパケットからＳＣＩを抽出するように、処理回路４０３が構成される。
【００８１】
動作４８
ＳＧＷは、ＭＭＥ又はＳ４−ＳＧＳＮへ、制御プレーン上でダウンリンクデータ通知メッセージを送信する、ようにさらに構成される。ダウンリンクデータ通知は、ＳＣＩ又は（ＶＰＬＭＮ構成に基づく）ＳＣＩへの参照を含む。ＭＭＥ又はＳ４−ＳＧＳＮへ制御プレーン上でダウンリンクデータ通知メッセージを送信するように、無線回路４０１が構成される。
【００８２】
例示的な実施形態を説明するために、ここでは３ＧＰＰ  ＬＴＥからの用語が使用されているが、留意すべきこととして、これは例示的な実施形態の範囲を前述のシステムだけに限定するものとみなされるべきではない。ＷＣＤＭＡ、ＷｉＭＡＸ、ＵＭＢ、ＷｉＦｉ及びＧＳＭを含む他の無線方式もまた、ここで開示される例示的な実施形態の恩恵を受ける。
【００８３】
ここで提供される例示的な実施形態の説明は、例示を目的として提示されている。本説明は、網羅的であることも、例示的な実施形態を開示通りの形態に限定することも意図されておらず、修正及び変形が、上記の教示に照らして可能であり、又は提供される実施形態の様々な代替手段の実践により取得され得る。ここで論じられた例は、様々な例示的な実施形態の原理及び性質並びにその実際的な応用を説明することにより、当業者が例示的な実施形態を様々なやり方で、企図される特定の用途に適した様々な修正を加えて利用することを可能にするために選択され、説明されたものである。ここで説明された実施形態の特徴は、方法、装置、モジュール、システム、及びコンピュータプログラム製品のあらゆる可能な組み合わせとして組み合わされ得る。ここで提示された例示的な実施形態は、相互の任意の組み合わせとして実施され得ることが理解されるべきである。
【００８４】
“comprising”という語は、必ずしも、列挙されるもの以外の要素又はステップの存在を排除せず、要素に先行する“a”又は“an”という語は、複数のそうした要素の存在を排除しないことに留意すべきである。いかなる参照符号も特許請求の範囲を限定するものではないこと、例示的な実施形態は、少なくとも部分的にハードウェア及びソフトウェアの双方によって実装され得ること、並びに、いくつかの“手段”、“ユニット”又は“デバイス”が同じハードウェアによって表され得ることにさらに留意すべきである。
【００８５】
ユーザ機器及びデバイスという用語は互換可能に使用され得ることが理解されるべきである。ユーザ機器といった用語は非限定的であるとみなすべきであることにも留意されたい。デバイス又はユーザ機器という用語は、ここで使用される場合、インターネット、イントラネットアクセス、ウェブブラウザ、オーガナイザ、カレンダ、カメラ（例えばビデオ及び／若しくは静止画像カメラ）、録音機（例えばマイクロフォン）、並びに／又は全地球測位システム（ＧＰＳ）受信機のための能力を有する無線電話機；セルラー無線電話機をデータ処理と組み合わせ得るパーソナル通信システム（ＰＣＳ）ユーザ機器；無線電話機又は無線通信システムを含み得る携帯情報端末（ＰＤＡ）；ラップトップ；通信能力を有するカメラ（例えばビデオ及び／若しくは静止画像カメラ）；並びにパーソナルコンピュータ、ホームエンターテインメントシステム、テレビなどといった任意の他の計算若しくは通信デバイスを含むよう広く解釈すべきである。ユーザ機器という用語は、任意の数の接続されたデバイスも含み得ることが理解されるべきである。さらに、‘ユーザ機器’という用語は、インターネット又はネットワークアクセスを有し得る任意のデバイスを定義するものとして解釈されるものであることが理解されるべきである。
【００８６】
ここで説明された様々な例示的な実施形態は、方法ステップ又はプロセスの一般的な文脈において記述されており、それらの方法ステップ又はプロセスは、一態様では、コンピュータプログラム製品によって実装され、ネットワーク接続された環境でコンピュータによって実行される、プログラムコードといったコンピュータ実行可能命令を含むコンピュータ可読媒体において具現化され得る。コンピュータ可読媒体は、それだけに限らないが、読取り専用メモリ（ＲＯＭ）、ランダムアクセスメモリ（ＲＡＭ）、コンパクトディスク（ＣＤ）、ディジタル多用途ディスク（ＤＶＤ）などを含む、取り外し可能及び取り外し不可の記憶装置を含み得る。一般に、プログラムモジュールは、特定のタスクを実行し、又は特定の抽象データ型を実装するルーチン、プログラム、オブジェクト、コンポーネント、データ構造などを含み得る。コンピュータ実行可能命令、関連付けられるデータ構造、及びプログラムモジュールは、ここで開示される方法のステップを実行するためのプログラムコードの例を表すものである。そうした実行可能命令又は関連付けられるデータ構造の特定の系列は、そうしたステップ又はプロセスに記述される機能を実施するための対応する動作の例を表すものである。
【００８７】
図面及び本明細書には、例示的な実施形態が開示されている。しかし、これらの実施形態には多くの変形及び修正がなされ得る。したがって、具体的な用語が用いられているが、それらの用語は包括的、説明的な意味で使用されているにすぎず、限定を目的としたものではなく、実施形態の範囲は添付の特許請求の範囲によって定義される。
【図１】
0006258316.tif 000002
【図２】
0006258316.tif 000003
【図３】
0006258316.tif 000004
【図４】
0006258316.tif 000005
【図５】
0006258316.tif 000006
【図６】
0006258316.tif 000007
【図７】
0006258316.tif 000008
【図８】
0006258316.tif 000009
【図９】
0006258316.tif 000010